(57)【特許請求の範囲】
【請求項１】
互いに離れる方向または近づく方向に変位することが可能な複数の第一可動部材と、
少なくとも一部が第一演出位置に位置する前記第一可動部材間に位置することで、当該第一可動部材組とともに一体的な演出形態を構築する第二可動部材と、
少なくとも一部が第二演出位置に位置する前記第一可動部材間に位置することで、当該第一可動部材組とともに一体的な演出形態を構築する第三可動部材と、
を備え、
各前記第一可動部材が前記第一演出位置に位置するときにおける当該第一可動部材間の空間の大きさよりも、各前記第一可動部材が前記第二演出位置に位置するときにおける当該第一可動部材間の空間の大きさが小さくなるように設定され、
各前記第一可動部材は、本体部およびこの本体部に対して変位可能に支持された従動部を有し、
各前記第一可動部材が前記第一演出位置に位置するときにおける前記本体部に対する前記従動部の相対的な位置と、各前記第一可動部材が前記第二演出位置に位置するときにおける前記本体部に対する前記従動部の相対的な位置が異なることを特徴とする遊技機。
【発明の詳細な説明】
【技術分野】
【０００１】
本発明は、演出効果を発現する可動部材（いわゆる役物）を備えた遊技機に関する。
【背景技術】
【０００２】
下記特許文献１等に記載されるように、複数の可動部材を組み合わせて一体的な演出形態を構築することができる演出装置を備えた遊技機が公知である。
【先行技術文献】
【特許文献】
【０００３】
【特許文献１】特開２０１２−２３９８４４号公報
【発明の概要】
【発明が解決しようとする課題】
【０００４】
演出のバリエーションを増やすため、（可動部材の種類を増やすことなく）構築することができる一体的な演出形態の数が多くなることが望ましい。
【０００５】
本発明が解決しようとする課題は、複数の可動部材によって構築される一体的な演出形態の数を増加させることが可能な遊技機を提供することにある。
【課題を解決するための手段】
【０００６】
本発明にかかる遊技機は、互いに離れる方向または近づく方向に変位することが可能な複数の第一可動部材と、少なくとも一部が第一演出位置に位置する前記第一可動部材間に位置することで、当該第一可動部材組とともに一体的な演出形態を構築する第二可動部材と、少なくとも一部が第二演出位置に位置する前記第一可動部材間に位置することで、当該第一可動部材組とともに一体的な演出形態を構築する第三可動部材と、を備え、各前記第一可動部材が前記第一演出位置に位置するときにおける当該第一可動部材間の空間の大きさよりも、各前記第一可動部材が前記第二演出位置に位置するときにおける当該第一可動部材間の空間の大きさが小さくなるように設定され、各前記第一可動部材は、本体部およびこの本体部に対して変位可能に支持された従動部を有し、各前記第一可動部材が前記第一演出位置に位置するときにおける前記本体部に対する前記従動部の相対的な位置と、各前記第一可動部材が前記第二演出位置に位置するときにおける前記本体部に対する前記従動部の相対的な位置が異なることを特徴とする。
【０００７】
上記遊技機は、第一可動部材同士の間の空間を変化させることにより、その空間内に第二可動部材の少なくとも一部が入り込むこともできるし、第三可動部材の少なくとも一部が入り込むこともできる。つまり、第一可動部材は、種類の異なる（大きさ、形状等が異なる）第二可動部材と第三可動部材の両方と一体的な演出形態を構築することができるため、可動部材の種類の増加を抑制しつつ、構築できる一体的な演出形態の数を増加させることが可能である。
また、第二可動部材の少なくとも一部と一体的な演出形態を構築する際の第一可動部材（従動部）の態様と、第三可動部材の少なくとも一部と一体的な演出形態を構築する際の第一可動部材（従動部）の態様を異ならせることができる。つまり、第一可動部材と第二可動部材の少なくとも一部による一体的な演出形態と、第一可動部材と第三可動部材の少なくとも一部による一体的な演出形態の態様の差が大きくなるため、これらの可動部材を用いた演出の趣向性を高めることが可能である。
【発明の効果】
【００１４】
本発明によれば、複数の可動部材によって構築される一体的な演出形態の数を増加させることが可能である。
【図面の簡単な説明】
【００１５】
【図１】本発明の一実施形態にかかる遊技機の正面図であり、第一可動部材が待機位置に位置した状態を示したものである（発射装置（発射ハンドル）等公知の部材は省略）。
【図２】本発明の一実施形態にかかる遊技機の正面図であり、第一可動部材が第一演出位置に位置した状態を示したものである（発射装置（発射ハンドル）等公知の部材は省略）。
【図３】本発明の一実施形態にかかる遊技機の正面図であり、第一可動部材が第二演出位置に位置した状態を示したものである（発射装置（発射ハンドル）等公知の部材は省略）。
【図４】遊技盤を取り外した状態を示した図であって、第一可動部材、第二可動部材、第三可動部材が原位置に位置した状態を示したものである。
【図５】図４に示した状態から規制部材およびそれに支持された第二可動部材およびその駆動機構を取り外した状態を示したものである。
【図６】動力伝達部材から従動部材までの動力伝達機構（各歯車）を説明するための図（第一可動部材の本体部の内部を後方から見た図）である。
【図７】動力伝達部材の被誘導突起と誘導部（溝）の係合状態および動力伝達部材の凸部とそれに接触する規制部材を示した模式図（動力伝達部材を長手方向に切断した断面図）である。
【図８】動力伝達部材の被誘導突起と誘導部（溝）の係合状態および動力伝達部材の凸部とそれに接触する規制部材を示した模式図（動力伝達部材を短手方向に切断した断面図）である。
【図９】第一可動部材が待機位置に位置した状態における、第一可動部材と従動部材の関係、動力伝達部材と誘導部の関係を示した図である。
【図１０】第一可動部材が第一演出位置に位置した状態における、第一可動部材と従動部材の関係、動力伝達部材と誘導部の関係を示した図である。
【図１１】第一可動部材が第二演出位置に位置した状態における、第一可動部材と従動部材の関係、動力伝達部材と誘導部の関係を示した図である。
【図１２】第一演出位置に位置する第一可動部材および進出位置に位置する第二可動部材（第二装飾部）によって一体的な演出形態が構築された状態を示した図である。
【図１３】第二演出位置に位置する第一可動部材および進出位置に位置する第三可動部材（第三装飾部）によって一体的な演出形態が構築された状態を示した図である。
【発明を実施するための形態】
【００１６】
以下、本発明にかかる実施形態について図面を参照して詳細に説明する。なお、以下の説明における平面方向とは遊技領域９０２に沿う（平行な）方向を、前後方向とは遊技領域９０２に直交する方向（遊技者側を前、その反対側を後とする）を、左右方向（幅方向）とは図１〜図３の左右方向を、上下方向とは図１〜図３の上下方向をいうものとする。
【００１７】
まず、図１〜図３を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１８】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００１９】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２０】
このような遊技機１では、発射装置（図示省略）を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。なお、本実施形態にかかる遊技機１は、いわゆるぱちんこ遊技機であるが、以下で説明する構成は、スロットマシン等、他の種類の遊技機にも適用可能である。
【００２１】
以下、本実施形態にかかる遊技機１が備える演出装置について詳細に説明する。演出装置は、第一可動部材１０、第二可動部材２０、および第三可動部材３０を備える。
【００２２】
第一可動部材１０は、本体部１１および従動部１２を有する。本実施形態では、第一可動部材１０が左右に一組設けられている。各第一可動部材１０の本体部１１は、平面方向に変位可能（前後方向における位置を変化させないように変位可能）である。本実施形態では幅方向（左右方向）に変位（スライド）可能である。つまり、左の本体部１１と右の本体部１１は、互いに近づく方向および互いに離れる方向に変位可能である。左の本体部１１が幅方向内側または幅方向外側に向かって移動する距離と、右の本体部１１が幅方向内側または幅方向外側に向かって移動する距離は同じである。つまり、両本体部１１（両第一可動部材１０）は、左の本体部１１（第一可動部材１０）と右の本体部１１（第一可動部材１０）から等距離にある中央線に関し常に線対称である（図１〜図３等参照）。このように本体部１１を変位させるための駆動機構はどのようなものであってもよいため説明を省略する。
【００２３】
従動部１２は、本体部１１に支持された部分であり、本体部１１に対し変位可能である。本実施形態における従動部１２は、本体部１１に対し回動可能である。本実施形態における従動部１２は非円形状であるため、当該従動部１２が本体部１１に対して回動したときは、遊技者はその変位を認識することができる。なお、従動部１２の形状はどのような形状であってもよい。従動部１２が本体部１１に対して回動するものであり、当該従動部１２が円形状であっても、前側に施された装飾等によって従動部１２の変位が認識できるものであればよい。本実施形態では、一の本体部１１に対し複数の従動部１２（本実施形態では三つ）が支持されている。
【００２４】
従動部１２は、本体部１１が動作する、すなわち幅方向に変位することによって当該本体部１１に対し相対的に変位するものである。かかる従動部１２の駆動機構は次の通りである。本体部１１には、動力伝達部材４０が支持されている（図５、図６等参照）。動力伝達部材４０は、幅方向においては本体部１１とともに変位するものの、幅方向と交差する上下方向においては、本体部１１に対し変位可能である。つまり、動力伝達部材４０は、本体部１１とともに、または本体部１１に対して平面方向に変位する部材である。
【００２５】
かかる動力伝達部材４０は、上側の一部が本体部１１より上方に位置する。そして、動力伝達部の上端部は誘導部材５０に形成された誘導部５１に係合している（図５、図７、図８等参照）。誘導部５１は、誘導部材５０に形成された前方に向かって開口する溝である。動力伝達部材４０の上端には後方に向かって突出する突起である被誘導突起４１が形成されており、当該被誘導突起４１が溝である誘導部５１内に嵌まり込んでいる。被誘導突起４１は、誘導部５１内をスライドすることが可能である。
【００２６】
溝である誘導部５１は、第一の部分５１１および第二の部分５１２を含む（図９〜図１１参照）。第一の部分５１１は、溝の幅方向位置が変化しても、溝の上下方向位置が変化しない部分である。つまり、幅方向に沿う部分である。第二の部分５１２は、溝の幅方向位置が変化すると、溝の上下方向位置が変化する部分である。つまり、幅方向に沿わない部分である。
【００２７】
上述したように、動力伝達部材４０は、幅方向においては第一可動部材１０の本体部１１とともに変位するものの、上下方向においては当該本体部１１に対し変位可能である。したがって、本体部１１が幅方向に変位すると動力伝達部材４０も幅方向に変位することとなるが、動力伝達部材４０の被誘導突起４１が誘導部５１の第一の部分５１１に係合しているときには動力伝達部材４０が本体部１１に対し上下方向に変位しないものの、動力伝達部材４０の被誘導突起４１が誘導部５１の第二の部分５１２に係合しているときには当該誘導部５１によって動力伝達部材４０が本体部１１に対し上下方向に変位することとなる。
【００２８】
このように、動力伝達部材４０は第一可動部材１０の本体部１１に対し上下方向に変位することがあるが、当該動力伝達部材４０の下側の一部は、常に本体部１１内に位置する。当該本体部１１内には、本体部１１に対する動力伝達部材４０の変位を、本体部１１に対する従動部１２の変位として伝達するための複数の歯車（歯車列）が設けられている（図６参照）。動力伝達部材４０における本体部１１内に位置する部分は、第一歯車７１に設けられた係合突起に係合している。したがって、動力伝達部材４０が上下方向に変位すると、第一歯車７１が回動することになる。第一歯車７１の回動は、第二歯車７２、第三歯車７３、第四歯車７４、第五歯車７５、第六歯車７６、第七歯車７７、第八歯車７８、第九歯車７９の回動として伝達される。本実施形態では、第二歯車７２、第五歯車７５、第九歯車７９が三つの従動部１２の各々と連結されている。つまり、動力伝達部材４０が上下方向に変位し、第二歯車７２、第五歯車７５、第九歯車７９が回動すると、各従動部１２が本体部１１に対して変位することとなる。上下方向における動力伝達部材４０の変位量が大きくなればなるほど、第二歯車７２、第五歯車７５、第九歯車７９の回動量が大きくなるから、本体部１１に対する各従動部１２の変位量が大きくなる。動力伝達部の変位量あたりの従動部１２の変位量は歯車列の減速比等を調整することにより適宜設定することができる。
【００２９】
上下方向における動力伝達部材４０の変位量は、誘導部５１の形状によって決まる。本実施形態では、動力伝達部材４０の被誘導突起４１が誘導部５１の第二の部分５１２に係合しているときに動力伝達部材４０が上下方向に変位する。本実施形態における誘導部５１の第二の部分５１２は、第一の部分５１１の一方端（末端）に繋がり、幅方向内側に向かって上方に変位していく部分（上昇部５１２ａ）と、上昇部５１２ａの一方端（末端）に繋がり、幅方向内側に向かって下方に変位していく部分（下降部５１２ｂ）を含む。下降部５１２ｂの末端（上昇部５１２ａ側の反対側の端部）は、第一の部分５１１よりも下方に位置する（図９〜図１１参照）。
【００３０】
第一可動部材１０（本体部１１）は、所定の演出（第一可動部材１０を用いた演出）を実行しないときには待機位置に位置し、所定の演出を実行するときには演出位置に位置する。つまり、所定の条件が成立していないときには待機位置に位置し、所定の条件が成立したときには演出位置に位置することとなる。演出位置に位置させるかどうか、すなわち所定の条件の成立の有無は、図示されない演出制御手段（演出制御基板）が判断（決定）する。かかる演出の制御手法はどのようなものであってもよいため説明を省略する。
【００３１】
本実施形態では、第一可動部材１０（本体部１１）の演出位置として第一演出位置と第二演出位置の二箇所が設定されている。第一演出位置（図２、図１０に示す位置）は、二つの第一可動部材１０（本体部１１）間の距離が、待機位置（図１、図９に示す位置）に位置しているときよりも小さく、第二演出位置（図３、図１１に示す位置）に位置しているときよりも大きくなる位置である。第二演出位置は、二つの第一可動部材１０（本体部１１）間の距離が第一演出位置よりも小さくなる位置（二つの第一可動部材１０（本体部１１）間の距離が最も小さくなる位置）である。
【００３２】
第一可動部材１０（本体部１１）が待機位置に位置するとき、動力伝達部材４０の被誘導突起４１は第一の部分５１１に係合している（図９参照）。第一可動部材１０（本体部１１）が第一演出位置に位置するとき、動力伝達部材４０の被誘導突起４１は第二の部分５１２における上昇部５１２ａと下降部５１２ｂの境界部分に係合している。つまり、動力伝達部材４０は最も上方に位置した状態にある（図１０参照）。第一可動部材１０（本体部１１）が第二演出位置に位置するとき、動力伝達部材４０の被誘導突起４１は第二の部分５１２における下降部５１２ｂの末端部分に係合している。つまり、動力伝達部材４０は、最も下方に位置した状態になる（図１１参照）。
【００３３】
動力伝達部材４０の前方には、規制部材６０が設けられている（図４、図７、図８等参照）。つまり、動力伝達部材４０における本体部１１の外側に位置する部分は、誘導部材５０と規制部材６０の間に挟まれている。このように、動力伝達部材４０の前方に規制部材６０が位置することで、動力伝達部材４０の前方への変位（平面方向に交差する方向への変位）が規制される。換言すれば、動力伝達部材４０の被誘導突起４１が誘導部５１から外れる方向への動力伝達部材４０の変位が、規制部材６０によって規制されるということである。なお、動力伝達部材４０の後方への変位は、誘導部材５０によって規制される。つまり、誘導部材５０と規制部材６０によって、動力伝達部材４０は前後方向に変位しないよう（平面方向にのみ変位するよう）規制されている。
【００３４】
また、動力伝達部材４０には、規制部材６０側に突出した凸部４２が形成されている。当該凸部４２は、動力伝達部材４０の長手方向（本実施形態では上下方向）に沿うように形成された線状の突起である。当該凸部４２は、動力伝達部材４０の機械的強度を向上させる。規制部材６０は、その下端縁に後方に向かって突出した押さえ部６１を有し、当該押さえ部６１が動力伝達部材４０の凸部４２に接触している（図７、図８等参照）。凸部４２は、動力伝達部材４０が上下方向に変位したとしても、必ず規制部材６０に接触する長さに形成されている。したがって、動力伝達部材４０の規制部材６０側の面が平坦であると仮定した場合（凸部４２が形成されていないと仮定した場合）よりも、動力伝達部材４０と規制部材６０（押さえ部６１）の接触面積が小さくなる。つまり、凸部４２によって、動力伝達部材４０と規制部材６０との接触部分に生ずる摺動抵抗が小さくなる。
【００３５】
かかる規制部材６０に第二可動部材２０が支持されている（図４参照）。第二可動部材２０は、その一部（以下、第二装飾部２１と称する）、遊技盤９０の上側に覆われた状態となる原位置と、表示装置９１の表示領域の略中央に重なる位置である進出位置との間を変位可能である。進出位置に位置する第二装飾部２１は、第一演出位置に位置する二つの第一可動部材１０間（本体部１１と従動部１２から構成されるユニット間）に位置することが可能である（図１２参照）。このように第二可動部材２０（第二装飾部２１）を駆動させることができるものであれば、その駆動機構はどのようなものであってもよいため、説明を省略する。
【００３６】
本実施形態では、この第二可動部材２０とは異なる可動部材（独立して動作可能な可動部材）として、第三可動部材３０が設けられている。第三可動部材３０は、その一部（以下、第三装飾部３１と称する）が、遊技盤９０の下側に覆われた状態（本実施形態では一部が露出している）となる原位置と、表示装置９１の表示領域の略中央に重なる位置である進出位置との間を変位可能である。進出位置に位置する第三装飾部３１は、第二演出位置に位置する二つの第一可動部材１０間（本体部１１と従動部１２から構成されるユニット間）に位置することが可能である（図１３参照）。
【００３７】
以上のように構成される第一可動部材１０、第二可動部材２０および第三可動部材３０の動きをまとめると次のようになる。待機位置に位置している第一可動部材１０の本体部１１を演出位置（幅方向内側）に向かって移動させたとき、本体部１１が所定量移動するまでは、動力伝達部材４０の被誘導突起４１は誘導部５１の第一の部分５１１に係合しつづける。したがって、動力伝達部材４０は本体部１１に対して上下方向に変位せず、従動部１２も本体部１１に対し変位しない。つまり、本体部１１と従動部１２の相対的な位置関係が維持されたまま、第一可動部材１０全体が幅方向内側に向かって移動する。
【００３８】
第一可動部材１０（本体部１１）が待機位置から幅方向内側に向かって所定量移動すると、動力伝達部材４０の被誘導突起４１は誘導部５１の第一の部分５１１から第二の部分５１２の上昇部５１２ａ内に入り込む。したがって、本体部１１が幅方向内側に移動するにつれて、動力伝達部材４０は誘導部５１の上昇部５１２ａによって引き上げられていく。つまり、本体部１１が移動するにつれて動力伝達部材４０は本体部１１に対して上方に変位していく。このように動力伝達部材４０が上方に変位していくと、その変位によって各歯車が一方向に回動する。これにより、各従動部１２が本体部１１に対して一方向に回動（変位）する。本体部１１が第一演出位置に到達したときには、動力伝達部材４０の被誘導突起４１が誘導部５１の第二の部分５１２における上昇部５１２ａと下降部５１２ｂの境界部分に係合した状態にある（図１０参照）。つまり、動力伝達部材４０が最も上方に変位した状態にあるため、本体部１１に対する従動部１２の一方向への回動量が最も大きい状態となる。
【００３９】
このようにして、本体部１１およびそれに対して変位した従動部１２によって構成される第一可動部材１０が第一演出位置に位置する。本実施形態にかかる遊技機１は、一組の第一可動部材１０を第一演出位置に位置させることによって図２に示すような演出形態を構築することもできるし、第一可動部材１０間に第二可動部材２０の第二装飾部２１を位置させることで、左右の第一可動部材１０組と第二可動部材２０（第二装飾部２１）によって図１２に示すような一体的な演出形態を構築することもできる。この場合には、第一可動部材１０が第一演出位置に到達する前に、第一可動部材１０に干渉しないタイミングで、第二可動部材２０（第二装飾部２１）を進出位置に移動させればよい。
【００４０】
第一可動部材１０（本体部１１）が第一演出位置から幅方向内側に向かって移動すると、動力伝達部材４０の被誘導突起４１は誘導部５１の第二の部分５１２の下降部５１２ｂ内に入り込む。したがって、本体部１１が幅方向内側に移動するにつれて、動力伝達部材４０は誘導部５１の下降部５１２ｂによって引き下げられていく。つまり、本体部１１が移動するにつれて動力伝達部材４０は本体部１１に対して下方に変位していく。このように動力伝達部材４０が下方に変位していくと、その変位によって各歯車が他方向に回動する。これにより、各従動部１２が本体部１１に対して他方向に回動（変位）する。誘導部５１の第二の部分５１２における下降部５１２ｂの末端部分は第一の部分５１１よりも下方に位置するため、動力伝達部材４０の上下方向位置は下降部５１２ｂの途中位置に係合しているときに第一の部分５１１に係合しているときと同じになる。つまり、当該時点における本体部１１に対する従動部１２の位置は、待機位置に位置するときにおけるものと同じになる。そこからさらに動力伝達部材４０が引き下げられることにより、各従動部１２が他方向に回動していく。本体部１１が第二演出位置に到達したときには、動力伝達部材４０の被誘導突起４１が誘導部５１の第二の部分５１２における下降部５１２ｂの末端部分に係合した状態となる（図１１参照）。つまり、動力伝達部材４０が最も下方に変位した状態にあるため、本体部１１に対する従動部１２の他方向への回動量が最も大きい状態となる。
【００４１】
このようにして、本体部１１およびそれに対して変位した従動部１２によって構成される第一可動部材１０が第二演出位置に位置する。本実施形態にかかる遊技機１は、一組の第一可動部材１０を第二演出位置に位置させることによって図３に示すような演出形態を構築することもできるし、第一可動部材１０間に第三可動部材３０の第三装飾部３１を位置させることで、左右の第一可動部材１０組と第三可動部材３０（第三装飾部３１）によって図１３に示すような一体的な演出形態を構築することもできる。この場合には、第一可動部材１０が第二演出位置に到達する前に、第一可動部材１０に干渉しないタイミングで、第三可動部材３０（第三装飾部３１）を進出位置に移動させればよい。
【００４２】
第一演出位置や第二演出位置から待機位置に向かって本体部１１を変位させた場合には、従動部１２は上記と逆の動きをする。
【００４３】
このように、本実施形態にかかる遊技機１は、第一演出位置に位置する第一可動部材１０組と、進出位置に位置する第二可動部材２０の少なくとも一部（第二装飾部２１）が組み合わされた一体的な演出形態（図１２参照）を構築することもできるし、第二演出位置に位置する第一可動部材１０組と、進出位置に位置する第三可動部材３０の少なくとも一部（第三装飾部３１）が組み合わされた一体的な演出形態（図１３参照）を構築することもできる。つまり、第二演出位置に位置するときに比して第一可動部材１０（本体部１１）間の空間が大きい第一演出位置に位置する第一可動部材１０組は、第二可動部材２０の少なくとも一部と組み合わされることによって演出形態を構築し、第一演出位置に位置するときに比して第一可動部材１０（本体部１１）間の空間が小さい第二演出位置に位置する第一可動部材１０組は、第三可動部材３０の少なくとも一部と組み合わされることによって演出形態を構築する。すなわち、第一可動部材１０間の距離が異なる（第一可動部材１０間の空間の大きさが異なる）二種類の演出位置を設定することで、当該第一可動部材１０間に位置させる別の演出部材の種類を変化させることができるようにしている。したがって、複数の可動部材によって構築される一体的な演出形態の数を増加させることが可能である。
【００４４】
しかも、本実施形態では、第二可動部材２０の少なくとも一部（第二装飾部２１）と一体的な演出形態を構築する際の第一可動部材１０における本体部１１に対する従動部１２の態様と、第三可動部材３０の少なくとも一部（第三装飾部３１）と一体的な演出形態を構築する際の第一可動部材１０における本体部１１に対する従動部１２の態様とは異なる。つまり、第一可動部材１０と第二可動部材２０による一体的な演出形態と、第一可動部材１０と第三可動部材３０による一体的な演出形態の態様の差が大きくなるため、これらの可動部材を用いた演出の趣向性を高めることが可能である。
【００４５】
さらに、本実施形態では、第二可動部材２０における第一可動部材１０間の空間に入り込む部分（第二装飾部２１）は、第一可動部材１０が第二演出位置に位置するときには、当該第一可動部材１０間の空間に位置することが不可能である。つまり、第二装飾部２１は、第一可動部材１０が第一演出位置に位置しているときには第一可動部材１０間の空間が相対的に大きく、当該空間内に入り込むことができるものの、第一可動部材１０が第二演出位置に位置しているときには、第一演出位置に位置しているときに比して当該空間が小さくなるため、当該空間内に入り込むことができない（第一可動部材１０と干渉してしまう）。より具体的には、第一演出位置にある第一可動部材１０と第二演出位置にある第二可動部材２０を比較すると、第一演出位置での本体部１１間の距離（空間）よりも第二演出位置での本体部１１間の距離（空間）が小さくなるというだけでなく、第一演出位置での従動部１２の本体部１１に対する態様と、第二演出位置での従動部１２の本体部１１に対する態様が異なり、第一演出位置での複数の従動部１２の内側に存在する空間の大きさよりも、第二演出位置での複数の従動部１２の内側に存在する空間の大きさが小さくなるため、第一可動部材１０が第二演出位置に位置しているときに当該第一可動部材１０間に第二装飾部２１が入り込むと仮定した場合、当該第二装飾部２１は従動部１２に干渉してしまうこととなる。
【００４６】
このような構成の場合、第一可動部材１０の演出位置が第二演出位置の一種類のみであるとすれば、第一可動部材１０間の空間に第二可動部材２０の少なくとも一部が入り込むことができず、第一可動部材１０と第二可動部材２０によって一体的な演出形態を構築することができない。これに対し、本実施形態にかかる遊技機１は、第一可動部材１０の演出位置として、第二可動部材２０の少なくとも一部が入り込むことができる空間を形成する第一演出位置が設定されているからこそ、第一可動部材１０と第二可動部材２０によって一体的な演出形態を構築することができるという点で優れるものである。
【００４７】
以上、本発明の実施の形態について詳細に説明したが、本発明は上記実施の形態に何ら限定されるものではなく、本発明の要旨を逸脱しない範囲で種々の改変が可能である。
【００４８】
例えば、上記実施形態では、第一可動部材１０の本体部１１は幅方向に変位し、動力伝達部材４０は上下方向に変位するものであることを説明したが、当該方向は適宜変更可能である。本体部１１が動力伝達部材４０とともに変位する方向と、動力伝達部材４０が本体部１１に対し変位可能である方向が交差する関係にあればよい。
【００４９】
また、上記実施形態では、左右（幅方向両側）に設けられた二つの第一可動部材１０が互いに近づく方向および離れる方向に変位することが可能であり、両第一可動部材１０間に第二可動部材２０や第三可動部材３０の少なくとも一部が位置することで一体的な演出形態が構築されることを説明したが、第一可動部材１０は二以上であってもよい。例えば、上下左右に設けられた四つの第一可動部材１０が互いに近づく方向および離れる方向に変位することが可能とし、当該四つの第一可動部材１０の間に第二可動部材２０や第三可動部材３０の少なくとも一部が位置することで一体的な演出形態が構築される構成であっても同様の技術思想が適用可能である。
【００５０】
また、上記実施形態における第二可動部材２０や第三可動部材３０の形状や駆動態様等はあくまで一例である。つまり、少なくとも一部が第一可動部材１０間に位置し、第一可動部材１０と一体的な演出形態を構築することができるものであれば形状や駆動態様等は適宜変更可能である。
【符号の説明】
【００５１】
１  遊技機
１０  第一可動部材
１１  本体部
１２  従動部
２０  第二可動部材
２１  第二装飾部
３０  第三可動部材
３１  第三装飾部
４０  動力伝達部材
４１  被誘導突起
５１  誘導部
５１１  第一の部分  
５１２  第二の部分
５１２ａ  上昇部
５１２ｂ  下降部
【図１】
0006019351.tif 000002
【図２】
0006019351.tif 000003
【図３】
0006019351.tif 000004
【図４】
0006019351.tif 000005
【図５】
0006019351.tif 000006
【図６】
0006019351.tif 000007
【図７】
0006019351.tif 000008
【図８】
0006019351.tif 000009
【図９】
0006019351.tif 000010
【図１０】
0006019351.tif 000011
【図１１】
0006019351.tif 000012
【図１２】
0006019351.tif 000013
【図１３】
0006019351.tif 000014